Podtech/llm-jp-corpus-v4-ja_patent huggingface dataset:
【手続補正書】
【提出日】平成20年9月11日(2008.9.11)
【手続補正１】
【補正対象書類名】明細書
【補正対象項目名】特許請求の範囲
【補正方法】変更
【補正の内容】
【特許請求の範囲】    【請求項１】（ａ）結核抗原の１若しくは２以上のＣＤ４＋Ｔ細胞エピトープ源を含む第一組成物、及び（ｂ）かかる第一組成物におけるＣＤ４＋Ｔ細胞エピトープと同じＣＤ４＋Ｔ細胞エピトープを少なくとも１つ含めた、該結核抗原の１若しくは２以上のＣＤ４＋Ｔ細胞エピトープ源を含む第二組成物を含む複合薬剤であって、第一及び／又は第二組成物におけるＣＤ４＋エピトープ源が、非複製若しくは複製欠損性組換えポックスウイルスベクターであることを特徴とし、同時に、個別若しくは順不同で連続して用いることにより結核抗原に対するＣＤ４＋Ｔ細胞応答を誘導する複合製剤。    【請求項２】（ａ）結核抗原の１若しくは２以上のＣＤ４＋Ｔ細胞エピトープ源、及び１若しくは２以上のＣＤ８＋Ｔ細胞エピトープ源を含む第一組成物、及び（ｂ）  （ｉ）かかる第一組成物におけるＣＤ４＋Ｔ細胞エピトープと同じＣＤ４＋Ｔ細胞エピトープを少なくとも１つ含めた、該結核抗原の１若しくは２以上のＣＤ４＋Ｔ細胞エピトープ源、及び（ii）かかる第一組成物におけるＣＤ８＋Ｔ細胞エピトープと同じＣＤ８＋Ｔ細胞エピトープを少なくとも１つ含めた、該結核抗原の１若しくは２以上のＣＤ８＋Ｔ細胞エピトープ源を含む第二組成物を含む複合製剤であって、第一及び／又は第二組成物におけるＣＤ４＋及びＣＤ８＋エピトープ源が、非複製若しくは複製欠損性組換えポックスウイルスベクターであることを特徴とし、同時に、個別若しくは順不同で連続して用いることにより結核抗原に対するＣＤ４＋Ｔ／ＣＤ８＋Ｔ細胞複合免疫応答を誘導する複合製剤。    【請求項３】組換えポックスウイルスベクターが修正ワクシニアウイルスＡｎｋａｒａ株由来又はその誘導体であることを特徴とする請求項１又は２記載の複合製剤。    【請求項４】組換えポックスウイルスベクターが鶏痘ベクター又はその誘導体であることを特徴とする請求項１〜３のいずれか記載の複合製剤。    【請求項５】第一若しくは第二組成物におけるエピトープ又は第一若しくは第二組成物によってコードされるエピトープが、結核菌の遺伝子発現産物として自然に生じることのない配列によってもたらされることを特徴とする請求項1〜４のいずれか記載の複合製剤。    【請求項６】誘導されたＣＤ４Ｔ細胞応答がＴＨ１型であることを特徴とする請求項１〜５のいずれか記載の複合製剤。    【請求項７】誘導されたＣＤ４Ｔ細胞応答がγ−インターフェロン分泌型であることを特徴とする請求項１〜６のいずれか記載の複合製剤。    【請求項８】組成物を皮内投与することを特徴とする請求項１〜７のいずれか記載の複合製剤。    【請求項９】第一組成物を少なくとも一回投与し、続いて第二組成物を少なくとも一回投与することを特徴とする請求項１〜８のいずれか記載の複合製剤。    【請求項１０】第一組成物を複数回に渡り連続投与し、続いて第二組成物を少なくとも一回投与することを特徴とする請求項９記載の複合製剤。    【請求項１１】第一組成物を３回連続投与し、続いて第二組成物を少なくとも一回投与することを特徴とする請求項１０記載の複合製剤。    【請求項１２】結核の予防に用いることを特徴とする請求項１〜１１のいずれか記載の複合製剤。    【請求項１３】結核の治療に���いることを特徴とする請求項１〜１１のいずれか記載の複合製剤。    【請求項１４】（ａ）におけるエピトープ源がウイルスベクターであるときに、（ｂ）におけるウイルスベクターがそれとは別種のウイルスに由来することを特徴とする請求項１〜１３のいずれか記載の複合製剤。    【請求項１５】結核抗原が、ＥＳＡＴ−６、ＭＰＴ６３又は８５Ａであることを特徴とする、請求項１〜１４のいずれか記載の複合製剤。    【請求項１６】結核抗原に対するＣＤ４＋Ｔ細胞応答を誘導する薬剤製造における請求項１〜１５のいずれか記載の複合製剤の使用方法。    【請求項１７】結核抗原のＣＤ４＋エピトープ源をコードする組換え非複製若しくは複製欠損性ポックスウイルスであって、結核抗原がＥＳＡＴ−６、ＭＰＴ６３又は８５Ａであることを特徴とするポックスウイルス。    【請求項１８】エピトープが、ＴＦＬＴＳＥＬＰＧＷＬＱＡＮＲＨＶＫＰＴ、ＱＲＮＤＰＬＬＮＶＧＫＬＩＡＮＮＴＲＶＷ、及びＬＧＧＮＮＬＰＡＫＦＬＥＧＦＶＲＴＳＮＩを１若しくは２以上含むことを特徴とする、請求項１７記載のポックスウイルス。    【請求項１９】修正ワクシニアウイルスＡｎｋａｒａであることを特徴とする、請求項１７又は１８記載のポックスウイルス。    【請求項２０】結核菌の抗原８５Ａをコードする修正ワクシニアウイルスＡｎｋａｒａベクター。    【請求項２１】請求項１７〜２０いずれか記載の複製欠損性組換えポックスウイルスと、薬学的に許容される担体とを含む医薬組成物。    【請求項２２】少なくとも一種類の結核抗原に対し、初回免疫時におけるＣＤ４＋Ｔ細胞応答を高める薬剤であって、該結核抗原の１若しくは２以上のＣＤ４＋Ｔ細胞エピトープ源を含み、かつ、かかるＣＤ４＋Ｔ細胞エピトープ源が、非複製若しくは複製欠損性組換えポックスウイルスベクターであることを特徴とする薬剤。    【請求項２３】結核抗原に対し、初回免疫時におけるＣＤ４＋Ｔ細胞免疫応答を高めるための薬剤製造における、該結核抗原の1若しくは２以上のＣＤ４＋Ｔ細胞エピトープ源を含む、組換え非複製若しくは複製欠損性ポックスウイルスベクターの使用。    【請求項２４】ポックスウイルスベクターが、請求項１７〜２０いずれか記載のポックスウイルスベクターであることを特徴とする、請求項２３記載の使用。
【手続補正書】
【提出日】平成20年9月16日(2008.9.16)
【手続補正１】
【補正対象書類名】明細書
【補正対象項目名】特許請求の範囲
【補正方法】変更
【補正の内容】
【特許請求の範囲】
【請求項１】  中枢神経系の障害のための救急治療を提供するための有効量の薬物を含有してなる粒子であって、約0.4g/cm3未満の嵩密度を有し、肺系の肺胞領域へ送達されるものである、粒子。
【請求項２】  パーキンソン病のための救急治療を提供するための有効量の抗パーキンソン病薬物を含有してなる粒子であって、肺系の肺胞領域へ送達されるものである、粒子。
【請求項３】 約0.4g/cm3未満の嵩密度を有するものである請求項２記載の粒子。
【請求項４】 約５ミクロン未満の質量メジアン空気力学的直径を有するものである請求項３記載の粒子。
【請求項５】 約３ミクロン未満の空気力学的直径を有するものである請求項４記載の粒子。
【請求項６】 約５〜約30ミクロンの範囲の体積メジアン幾何学的直径を有するものである請求項３記載の粒子。
【請求項７】  薬物がレボドパである請求項２記載の粒子。
【請求項８】  レボドパが粒子中に約１〜約90重量％の範囲の量で存在するものである請求項７記載の粒子。
【請求項９】  薬物がカルビドパまたはアポモルフィンである請求項２記載の粒子。
【請求項１０】 さらにリン脂質を含有するものである請求項２記載の粒子。
【請求項１１】  リン脂質が粒子中に少なくとも１０重量％の量で存在するものである請求項１０記載の粒子。
【請求項１２】 患者の生理的温度より高くないマトリクス転移温度を有するものである請求項１０記載の粒子。
【請求項１３】 さらにアミノ酸を含有するものである請求項２記載の粒子。
【請求項１４】  アミノ酸が粒子中に少なくとも約１０重量％の量で存在するものである請求項１３記載の粒子。
【請求項１５】 さらにクエン酸塩を含有するものである請求項２記載の粒子。
【請求項１６】  クエン酸塩が粒子中に少なくとも約１０％の量で存在するものである請求項１５記載の粒子。
【請求項１７】 さらに二価金属塩を含有するものである請求項１５記載の粒子。
【請求項１８】  二価金属塩が塩化カルシウムである請求項１７記載の粒子。
【請求項１９】  薬物が経口送達に必要とされる用量の少なくとも約２倍少ない用量で投与されるものである請求項２記載の粒子。
【請求項２０】  薬物がその作用部位に到達するものであり、それにより約30分未満に救急治療を提供する請求項２記載の粒子。
【請求項２１】  粒子が乾燥粉末として投与されるものである請求項２記載の粒子。
【請求項２２】  薬物が乾燥粉末中に少なくとも20重量％の量で存在するものである請求項２１記載の粒子。
【請求項２３】  粒子を投与することが継続治療と組み合わせられるものである請求項２記載の粒子。
【請求項２４】 さらに少なくとも１つの生物活性因子を含有するものである請求項２記載の粒子。
【請求項２５】  中枢神経系の障害を処置するためのケトプロフェンを含有する粒子であって、経口投与に必要とされる用量の少なくとも約２倍少ない用量で投与されるものであり、送達が肺系の肺胞領域に対するものである、ケトプロフェンを含有する粒子。
【請求項２６】  中枢神経系の障害を処置するためのベンゾジアゼピン薬物を含有する粒子であって、経口投与に必要とされる用量の少なくとも約２倍未満である用量で投与されるものであり、送達が肺系の肺胞領域に対するものである、ベンゾジアゼピン薬物を含有する粒子。
【請求項２７】  中枢神経系の障害を処置するための有効量のベンゾジアゼピン薬物を含有してなる粒子であって、約0.4g/cm3未満の嵩密度を有し、肺系の肺胞領域へ送達されるものである、粒子。
【請求項２８】 約５ミクロン未満の質量メジアン空気力学的直径を有するものである請求項２７記載の粒子。
【請求項２９】 約５〜約30ミクロンの範囲の体積メジアン幾何学的直径を有するものである請求項２７記載の粒子。
【請求項３０】  薬物がアルプラゾラムである請求項２７記載の粒子。
【請求項３１】  ベンゾジアゼピンが粒子中に約１〜約90重量％の範囲の量で存在するものである請求項３０記載の粒子。
【請求項３２】 さらにリン脂質を含有するものである請求項２７記載の粒子。
【請求項３３】  リン脂質が粒子中に少なくとも１０重量％の量で存在するものである請求項３２記載の粒子。
【請求項３４】  患者の生理的温度より高くないマトリクス転移温度を有するものである請求項３２記載の粒子。
【請求項３５】 さらにアミノ酸を含有するものである請求項２７記載の粒子。
【請求項３６】  アミノ酸が粒子中に少なくとも約１０％の量で存在するものである請求項３５記載の粒子。
【請求項３７】 さらにクエン酸塩を含有するものである請求項２７記載の粒子。
【請求項３８】  クエン酸塩が粒子中に少なくとも約１０％の量で存在するものである請求項３７記載の粒子。
【請求項３９】 さらに二価金属塩を含有するものである請求項３７記載の粒子。
【請求項４０】  二価金属塩が塩化カルシウムである請求項３９記載の粒子。
【請求項４１】  ベンゾジアゼピンが、血漿レベルによって測定される場合、経口送達に必要とされる用量の少なくとも約２倍少ない用量で投与されるものである請求項２７記載の粒子。
【請求項４２】  薬物がその作用部位に到達するものであり、それにより約30分未満に救急治療を提供する請求項２７記載の粒子。
【請求項４３】  粒子が乾燥粉末として投与されるものである請求項２７記載の粒子。
【請求項４４】  薬物が乾燥粉末中に少なくとも20重量％の量で存在するものである請求項４３記載の粒子。
【請求項４５】  粒子を投与することが継続治療と組み合わせられるものである請求項２７記載の粒子。
【請求項４６】 さらに少なくとも１つの生物活性因子を含有するものである請求項２７記載の粒子。
【手続補正書】
【提出日】平成20年9月4日(2008.9.4)
【手続補正１】
【補正対象書類名】明細書
【補正対象項目名】特許請求の範囲
【補正方法】変更
【補正の内容】
【特許請求の範囲】
【請求項１】  メタクリレート注型用樹脂から成形品を製造する光重合方法であって、
（１）（Ａ１）５０％を越える、メチルメタクリレート及び／又は高割合でメチルメタクリレートを含有する初期重合物
（Ａ２）０〜４０％の、メチルメタクリレートと共重合することができる他のモノマー
（Ｂ）０．１〜１０％の少なくとも１種のモノ又はビスアシルホスフィンオキシド光開始剤
（Ｃ）０〜１０％の他の光開始剤
（Ｄ）０〜５％の熱開始剤及び
（Ｅ）場合により更なる慣用添加剤
を含有するメタクリレート注型用樹脂配合物を、型に注型し、そして
（２）２００〜８００nmの範囲の光源での照射により完全に硬化させて、機械的に安定な成形品を形成する
方法。
【請求項２】  注型用型の平均厚さが、１mmより大きい、請求項１に記載の方法。
【請求項３】  光重合を、１００℃未満の温度で行う、請求項１に記載の方法。
【請求項４】  メチルメタクリレート注型用樹脂配合物が、成分（Ｄ）として、０．０１〜５％、特に０．０１〜２％のアゾ又は過酸化物化合物の群から選択された熱開始剤を含む、請求項１に記載の方法。
【請求項５】  照射工程（２）の後に、（３）メタクリレート注型用樹脂配合物を型中で、照射と共に又は照射なしで、１００℃を越える温度に加熱する、請求項１に記載の方法。
【請求項６】  露光（２）を、５時間未満の期間にわたって行う、請求項１に記載の方法。
【請求項７】  メタクリレート注型用樹脂混合物が、追加の添加剤（Ｅ）として、０．１〜４９．９％の染料、顔料及び／又は充填剤を含む、請求項１に記載の方法。
【請求項８】  成分（Ｂ）として、式Ｉ：
【化１】
2004509187.tif 000001
〔ここで、
Ｒ1は、非置換であるか又はフェニル、Ｃ1〜Ｃ12アルキルフェニル、ハロフェニル、Ｃ1〜Ｃ12アルコキシフェニル、Ｃ2〜Ｃ5アルコキシカルボニル、Ｃ1〜Ｃ12アルコキシ、ＣＮもしくはハロゲンにより置換されているＣ1〜Ｃ18アルキルであり；あるいはＲ1は、Ｃ2〜Ｃ18アルケニル又はＣ5〜Ｃ8シクロアルキルであり；あるいはＲ1は、フェニル、ナフチル、ビフェニリル、又は５もしくは６員のＯ−、Ｓ−もしくはＮ−含有複素環式基であり、これらの基フェニル、ナフチル、ビフェニリル及び複素環式基は、非置換であるか又はＣ1〜Ｃ12アルキル、Ｃ1〜Ｃ12アルコキシ及び／もしくはハロゲンにより置換されており；
Ｒ2は、Ｒ1について与えられた意味の一つを有するか、又は基：−（ＣＯ）Ｒ3もしくは−ＯＲ4であり；あるいは
Ｒ1及びＲ2は、それらが結合されているリン原子と一緒に、環を形成し；
Ｒ3は、非置換であるか又はフェニル、Ｃ2〜Ｃ5アルコキシカルボニル、Ｃ1〜Ｃ12アルコキシ、フェノキシ、Ｃ1〜Ｃ12アルキルチオ、フェニルチオもしくはハロゲンにより置換されているＣ1〜Ｃ18アルキルであり；あるいはＲ3は、フェニルビニルであるか又は非置換もしくはＣ1〜Ｃ12アルキル、フェニル、フェノキシ、Ｃ1〜Ｃ12アルコキシ、Ｃ2〜Ｃ5アルコキシカルボニル、Ｃ1〜Ｃ4アルキルチオ及び／もしくはハロゲンにより置換されたＣ5〜Ｃ8シクロアルキルであり；あるいはＲ3は、フェニル、ナフチル、ビフェニリル、又は５もしくは６員のＯ−、Ｓ−もしくはＮ−含有複素環式基であり、これらの基フェニル、ナフチル、ビフェニリル及び複素環式基は、非置換であるか又はＣ1〜Ｃ12アルキル、Ｃ1〜Ｃ12アルコキシ、Ｃ1〜Ｃ12アルコキシアルキル、Ｃ1〜Ｃ4アルキルチオ及び／もしくはハロゲンにより置換されており；そして
Ｒ4は、Ｃ1〜Ｃ18アルキル、フェニル−Ｃ1〜Ｃ4アルキル、Ｃ5〜Ｃ8シクロアルキル、フェニル又はナフチルである〕
の化合物を用いる、請求項１〜７のいずれか一項に記載の方法。
【請求項９】  成分（Ｂ）として、ビス（２，４，６−トリメチルベンゾイル）フェニルホスフィンオキシド及び／又は２，４，６−トリメチルベンゾイル−ジフェニルホスフィンオキシドを用いる、請求項８に記載の方法。
【請求項１０】  追加の光開始剤（Ｃ）として、α−ヒドロキシケトン、α−アミノケトン、ベンジルジメチルケタール、ベンゾフェノン、置換ベンゾフェノン、ベンゾイン及びフェニルグリオキサル酸エステルの群から選択された少なくとも１種の化合物を用いる、請求項１に記載の方法。
【請求項１１】  （Ａ１）５０％を超える、メチルメタクリレート及び／又は高割合でメチルメタクリレートを含有する初期重合物
（Ａ２）０〜４０％の、メチルメタクリレートと共重合することができる他のモノマー
（Ｂ）０．１〜１０％の、少なくとも１種のモノ又はビスアシルホスフィンオキシド光開始剤
（Ｃ）０〜１０％の他の光開始剤
（Ｄ）０〜５％の熱開始剤及び
（Ｅ）場合により更なる慣用添加剤
を含有するメタクリレート注型用樹脂配合物。
【請求項１２】  請求項１に記載の方法により得られた硬化成形品。
【手続補正書】
【提出日】平成20年6月10日(2008.6.10)
【手続補正１】
【補正対象書類名】明細書
【補正対象項目名】請求項１
【補正方法】変更
【補正の内容】
【請求項１】  Ｎ−あるいはアミノ基、アンモニウム基またはスピロ二環アンモニウム基を含有し、かつカチオン性Ｎ−含有基並びに適当な対イオンを含むポリマーを浄化するための洗浄方法において、重合および架橋によって得られるゲル化したポリマーを
ａ）塩基の添加によって部分的にまたは完全に脱プロトン化し、
ｂ）部分的にまたは完全に脱プロトン化されたポリマーを洗浄し、次いで
ｃ）場合によっては有機溶剤または有機溶剤／水−混合物中で酸の添加によって再プロトン化し、その後に
ｄ）場合によってはそのゲルを収縮させるために有機溶剤または有機溶剤／水−混合物で洗浄しそして場合によっては
ｅ）段階ｃ）またはｄ）に続いて段階ａ）〜ｃ）またはｄ）までを繰り返す
ことを特徴とする、上記方法。
【手続補正２】
【補正対象書類名】明細書
【補正対象項目名】請求項２
【補正方法】変更
【補正の内容】
【請求項２】  Ｎ−あるいはアミノ基、アンモニウム基またはスピロ二環アンモニウム基を含有するポリマーとして、第一−、第二−または第三アミノ基またはそれの塩、第四アンモニウム基および／またはスピロ二環アンモニウム基、アミジノ基、グアニジノ基またはイミノ基、並びに下記群から選ばれる負に荷電した無機系および／または有機系対イオン、即ちハロゲニド類、ホスファート類、ホスフィット類、カルボナート類、ビカルボナート類、スルファート類、ビスルファート類、ヒドロキシド類、ニトレート類、ペルスルファート類、スルフィット類およびスルファイド類、アセテート類、アスコルバート類、ベンゾエート類、ラクタート類、フマレート類、マレエート類、ピルバート類、シトラート類、ジヒドロゲンシトラート類、ヒドロゲンシトラート類、プロピオナート類、ブチラート類、オキサレート類、スクシナート類、タートレート類およびコラート類(cholates)、を含有する架橋されたカチオン性ポリマーを使用し、その際にカチオン性ポリマーが場合によっては疎水性のポリマーあるいは成分と組み合わされていてもよい、請求項１に記載の方法。
【手続補正３】
【補正対象書類名】明細書
【補正対象項目名】０００６
【補正方法】変更
【補正の内容】
【０００６】
【発明が解決しようとする課題】
従って本発明の課題は、従来技術に比較して少ないアルコール消費量で増加した処理量を保証する、Ｎ−あるいはアミノ基、アンモニウム基またはスピロ二環アンモニウム基を含有するポリマーのための改善された洗浄方法を提供することである。
【手続補正４】
【補正対象書類名】明細書
【補正対象項目名】０００８
【補正方法】変更
【補正の内容】
【０００８】
従って本発明の対象は、Ｎ−あるいはアミノ基、アンモニウム基またはスピロ二環アンモニウム基を含有し、かつカチオン性Ｎ−含有基並びに適当な対イオンを含むポリマーを浄化するための洗浄方法において、重合および架橋によって得られるゲル化したポリマーを
ａ）塩基の添加によって部分的にまたは完全に脱プロトン化し、
ｂ）部分的にまたは完全に脱プロトン化されたポリマーを洗浄し、次いで
ｃ）場合によっては有機溶剤または有機溶剤／水−混合物中で酸の添加によって再プロトン化し、その後に
ｄ）場合によってはそのゲルを収縮させるために有機溶剤または有機溶剤／水−混合物で洗浄しそして場合によっては
ｅ）段階ｃ）またはｄ）に続いて段階ａ）〜ｃ）またはｄ）までを繰り返す
ことを特徴とする、上記方法である。
【手続補正５】
【補正対象書類名】明細書
【補正対象項目名】０００９
【補正方法】変更
【補正の内容】
【０００９】
本発明の方法の場合、Ｎ−あるいはアミノ基、アンモニウム基またはスピロ二環アンモニウム基を含有するポリマーが後処理される。
【手続補正６】
【補正対象書類名】明細書
【補正対象項目名】００１１
【補正方法】変更
【補正の内容】
【００１１】
本発明の洗浄方法には特にカチオン性ポリマーが適している。カチオン性ポリマーには第一ー、第二ーまたは第三アミノ基またはそれの塩、第四アンモニウム基および／またはスピロ二環アンモニウム基を含有するポリマーが属する。追加的なカチオン性基には、アミジノ基、グアニジノ基またはイミノ基等が属する。
【手続補正７】
【補正対象書類名】明細書
【補正対象項目名】００１７
【補正方法】変更
【補正の内容】
【００１７】
ポリマーの製造は従来技術に従って例えば国際特許出願公開第９９／３３４５２号明細書、同第９９／２２７２１号明細書、同第９８／４３６５３号明細書、米国特許第５，６２４、９６３号明細書および同５，４９６，５４５号明細書に記載されているように行う。
【手続補正８】
【補正対象書類名】明細書
【補正対象項目名】００３４
【補正方法】変更
【補正の内容】
【００３４】
本発明の方法によってＮ−あるいはアミノ−、アンモニウム−またはスピロ二環アンモニウム基含有ポリマーを従来技術に比較して非常に僅かの有機溶剤消費量、大抵は従来の通例の量の１／５の程度の僅かな量で、比較的に明らかに増加した処理量（２倍までの処理量）で洗浄することができる。更に本発明の洗浄方法は全体の不純物を明らかにより良好に分離することを可能とし、それによって検出限界（＜０．１％）の範囲内にまで溶解オリゴマーの含有量が著しく減少される。
【手続補正９】
【補正対象書類名】明細書
【補正対象項目名】００３５
【補正方法】変更
【補正の内容】
【００３５】
本発明の方法は、架橋しておりカチオン性のＮ含有あるいはアミノ−、アンモニウム−またはスピロ二環アンモニウム基並びに適当な対イオンを含有するポリマーを洗浄するのに特に適している。しかしながらこの方法は架橋したポリアリルアミン類およびポリジアリルアミン類を洗浄するのに特に適している。
【手続補正書】
【提出日】平成20年8月15日(2008.8.15)
【手続補正１】
【補正対象書類名】明細書
【補正対象項目名】特許請求の範囲
【補正方法】変更
【補正の内容】
【特許請求の範囲】
【請求項１】  （ａ）少なくとも一種の有機ポリイソシアネートと、（ｂ）ポリオール組成物との混合物の反応によるポリウレタン製品の生産方法であって、
ポリオール組成物（ｂ）は、
（ｂ１）２ないし８の官能価と２０ないし８００のヒドロキシル価を有するポリオール化合物０ないし９５重量％と、
（ｂ２）１ないし８の官能価と２０ないし２００のヒドロキシル価を有する少なくとも一種のポリオール化合物５ないし１００重量％とを含んで成り、
上記重量％はポリオール成分（ｂ）の全体量に基づくものであり、また、
（ｂ２）は、式Ｉの化合物（ｂ２ａ）
Ｈ２Ｎ−（ＣＨ２）ｎ−Ｎ（Ｒ）−Ｈ        （式Ｉ）
（式中、ｎは２ないし１２の整数であり、ＲはＣ1ないしＣ3アルキル基である。）
または式ＩＶの化合物（ｂ２ｅ）
Ｒ３−ＮＨ−Ｒ        （式ＩＶ）
（式中、Ｒ3はＣ5ないしＣ6シクロアルキル基であり、Ｒは前記で定義したものである。）
のうちの少なくとも一種の開始剤分子のアルコキシル化により得られるか、
あるいは（ｂ２）は過剰量の式Ｉまたは式ＩＶの開始剤のアルコキシル化により得られるポリオールとポリイソシアネートとの反応によって得られるヒドロキシ末端プレポリマーであるか、
あるいは（ｂ２）は（ｂ２ａ）、（ｂ２ｅ）または式Ｉおよび式ＩＶの開始剤に基づくポリオールから得られるヒドロキシ末端プレポリマーより選択される配合物（ｂ２ｇ）である、
方法。
【請求項２】  （ｂ２）の前記開始剤が式Ｉにより表され、Ｒがメチルである請求項１に記載の方法。
【請求項３】  ｎが２ないし４である請求項２に記載の方法。
【請求項４】  前記開始剤がＮ−メチル−１，２−エタンジアミンまたはＮ−メチル−１，３−プロパンジアミンである請求項２に記載の方法。
【請求項５】  前記開始剤が式ＩＶで表される請求項１に記載の方法。
【請求項６】  前記開始剤がＮ−メチル−シクロヘキシルアミンである請求項５に記載の方法。
【請求項７】  発泡剤の存在下で、前記ポリオール（ｂ１）および（ｂ２）が３ないし６の平均官能価と２００ないし８００の平均ヒドロキシル価を有する、硬質ポリウレタンフォームを製造するための請求項１ないし６のいずれか一項に記載の方法。
【請求項８】  前記混合物が、ハイドロカーボン、ハイドロクロロフルオロカーボン、ハイドロフルオロカーボン、ハイドロクロロカーボンまたはこれらの混合物より選択される発泡剤を含有する請求項７に記載の方法。
【請求項９】  前記発泡剤が成分（ｂ）１００重量部を基準として０．５ないし１０重量部の水を含有する請求項８に記載の方法。
【請求項１０】  水が成分（ｂ）１００重量部を基準として０．５ないし１０重量部の量で存在し、前記ポリオール（ｂ１）および（ｂ２）が２ないし４の平均官能価と２０ないし１００の平均ヒドロキシル価を有する、軟質ポリウレタンフォームを製造するための請求項１ないし請求項６のいずれか一項に記載の方法。
【請求項１１】  エラストマー、コーティングまたは接着剤を生産するための請求項１ないし請求項６のいずれか一項に記載の方法。
【請求項１２】  インテグラルスキンを有するフォームを生産するための請求項１ないし請求項６のいずれか一項に記載の方法。
【請求項１３】  請求項１ないし請求項９のいずれか一項により生産された硬質ポリウレタン製品。
【請求項１４】  請求項１ないし請求項６および請求項１０のいずれか一項により生産された軟質ポリウレタン製品。
【請求項１５】  下記式Ｉ：
Ｈ２Ｎ−（ＣＨ２）ｎ−Ｎ（Ｒ）−Ｈ        （式Ｉ）
（式中、ｎは２ないし６の整数であり、ＲはＣ1ないしＣ3アルキル基である。）の少なくとも一種の開始剤のアルコキシル化により得られるポリオールを５ないし１００重量％含有する自己触媒性ポリオール組成物。
【請求項１６】  下記式ＩＶ：
Ｒ３−ＮＨ−Ｒ        （式ＩＶ）
（式中、Ｒ3はＣ5ないしＣ6シクロアルキル基であり、ＲはＣ1ないしＣ3アルキル基である。）の少なくとも一種の開始剤のアルコキシル化により得られるポリオールを５ないし１００重量％含有する自己触媒性ポリオール組成物。
【請求項１７】  過剰量のポリイソシアネートと請求項１の（ｂ２）により定義されるポリオールまたはその混合物との反応により生成したプレポリマー。
【請求項１８】  標準的ポリウレタン触媒を含有する同様の反応混合物と硬化時間が実質的に等しくなるような量で（ｂ２）の量が存在する一方、当該反応混合物が（ｂ２）と共に標準的ポリウレタン触媒を１０重量％以上少ない量で含有する、請求項１ないし請求項１０のいずれか一項に記載の方法。
【手続補正書】
【提出日】平成20年8月7日(2008.8.7)
【手続補正１】
【補正対象書類名】明細書
【補正対象項目名】特許請求の範囲
【補正方法】変更
【補正の内容】
【特許請求の範囲】
【請求項１】  イソプレンエラストマー、補強用無機充填剤および無機充填剤/イソプレンエラストマーカップリング剤をベースとするゴム組成物において、
前記カップリング剤が、次式、
【化１】
2004509199.tif 000001
（式中、aは、１、２または３に等しく；Ｒ1は、２価の基であり；Ｒ2およびＲ3は、１価の炭化水素基である。）
で示されるシトラコンイミド-アルコキシシランであり、前記補強用無機充填剤の量が10〜200 phr (エラストマーまたはゴム100質量部当りの質量部)であることを特徴とするゴム組成物。
【請求項２】  シトラコンイミド-アルコキシシランの量が0.5 phi (イソプレンエラストマー100質量部当りの質量部)よりも多い請求項１に記載の組成物。
【請求項３】  シトラコンイミド-アルコキシシランの量が１〜１５ phiである請求項２に記載の組成物。
【請求項４】  シトラコンイミド-アルコキシシランの量が２〜１０ phiである請求項３に記載の組成物。
【請求項５】  シトラコンイミド-アルコキシシランが、N-[((C1〜C3)アルキル-(C1〜C3)アルコキシシリル)]シトラコンイミド類の中から選ばれる請求項１に記載の組成物。
【請求項６】  シトラコンイミド-アルコキシシランが、N-[(プロピル-(C1〜C3)アルコキシシリル)]シトラコンイミド類の中から選ばれる請求項５に記載の組成物。
【請求項７】  シトラコンイミド-アルコキシシランの量が補強用無機充填剤の量に対して0.5質量％〜20質量％である請求項１に記載の組成物。
【請求項８】  補強用無機充填剤が主としてシリカである請求項１に記載の組成物。
【請求項９】  更に、カーボンブラックを含む請求項１に記載の組成物。
【請求項１０】  カーボンブラックが5〜15 phrの範囲の量で存在する請求項９に記載の組成物。
【請求項１１】  シトラコンイミド-アルコキシシランがN-(プロピルエトキシシリル)シトラコンイミドである請求項５に記載の組成物。
【請求項１２】  イソプレンエラストマー、補強用充填剤としての無機充填剤および無機充填剤/イソプレンエラストマーカップリング剤をベースとするゴム組成物を含み、  上記カップリング剤がシトラコンイミド-アルコキシシランであることを特徴とするタイヤ。
【請求項１３】  イソプレンエラストマー、補強用充填剤としての無機充填剤および無機充填剤/イソプレンエラストマーカップリング剤をベースとするゴム組成物を含み、  上記カップリング剤がシトラコンイミド-アルコキシシランであることを特徴とするタイヤトレッド。
【請求項１４】  重量車両タイヤに使用される請求項１３に記載のトレッド。
【請求項１５】  請求項１に記載のゴム組成物を含むことを特徴とするタイヤトレッド。
【請求項１６】  請求項１に記載のゴム組成物を含むことを特徴とするタイヤ。
【請求項１７】  トレッドが、請求項１に記載のゴム組成物を含むことを特徴とする重量車両タイヤ用のタイヤ。
【手続補正書】
【提出日】平成20年8月27日(2008.8.27)
【手続補正１】
【補正対象書類名】明細書
【補正対象項目名】特許請求の範囲
【補正方法】変更
【補正の内容】
【特許請求の範囲】
【請求項１】  (a) 少なくとも1000の平均分子量を有する、10〜60重量％のポリマー油状相；
(b) 少なくとも1000の平均分子量で、1〜15重量％のポリマー乳化剤成分；
(c) 30〜90重量％の水相；ならびに
(d) 少なくとも1000の平均分子量を有する、少なくとも0.005重量％のポリ（2-プロペナール、2-プロペン酸）ポリマー抗菌剤
を含有してなる局所用適用のためのエマルジョン組成物であって、該組成物の有機成分の少なくとも95重量％が少なくとも1000の平均分子量を有する、エマルジョン組成物。
【請求項２】  ポリ（2-プロペナール、2-プロペン酸）が、ポリエチレングリコール、ポリオールおよびアルカノールの１つ以上の水溶液中で加熱することにより活性化されてなる、請求項１記載のエマルジョン組成物。
【請求項３】  ポリマー油状相が、ポリアルキレングリコール、有機シランポリマー（ポリカルボシラン）、ポリビニルアルコール、ポリビニルエステル、ポリビニルピロリドン、アルコキシポリエチレングリコール、ポリシラン、スチレン−アクリレートコポリマー、ポリサッカリド、それらのコポリマー、およびそれらの混合物からなる群より選ばれた１つ以上のポリマーを含有してなる、請求項１記載のエマルジョン組成物。
【請求項４】  ポリマー油状相が、ポリ有機シロキサンを含有してなる、請求項１記載のエマルジョン組成物。
【請求項５】  ポリマー乳化剤が、ポリオキシアルキレン乳化剤およびエトキシル化ポリシロキサン乳化剤からなる群より選ばれた１つ以上の乳化剤を含有してなる、請求項１記載のエマルジョン組成物。
【請求項６】  ポリマー乳化剤が、１つ以上のエトキシル化ポリシロキサン乳化剤を含有する第１乳化剤および１つ以上のポリオキシアルキレン乳化剤を含有する第２乳化剤を含有してなる、請求項１記載のエマルジョン組成物。
【請求項７】  第１乳化剤が、エトキシル化ポリアクリルメチコーンコポリマー、ナトリウムPGプロピルジメチコーンチオスルフェートコポリマーおよびセチルジメチコーンコポリオールからなる群より選ばれた１つ以上の乳化剤を含有してなる、請求項５記載のエマルジョン組成物。
【請求項８】  第２乳化剤が、ポリエチレングリコールエーテルおよびポリエトキシル化脂肪アルコールからなる群より選ばれた１つ以上の乳化剤を含有してなる、請求項５記載のエマルジョン組成物。
【請求項９】  第１乳化剤が組成物の1〜10重量％の量で存在してなり、第２乳化剤が組成物の0.5〜5重量％の量で存在してなる、請求項５記載のエマルジョン組成物。
【請求項１０】  0.5〜5％のポリマーフィルム形成剤を含有してなる請求項１記載のエマルジョン組成物。
【請求項１１】  ポリマーフィルム形成剤が、PVP/ポリカルボモイルポリグリコールエステル、PVP/エイコセンコポリマー、PVP/ジメチコニルアクリレート／ポリカルバミル／ポリグリコールエステル、およびそれらの混合物からなる群より選ばれてなる、請求項１０記載のエマルジョン組成物。
【請求項１２】 無機安定剤またはポリマー安定剤を含有してなる請求項１記載のエマルジョン組成物。
【請求項１３】  安定剤がケイ酸マグネシウムアルミニウムである、請求項１２記載のエマルジョン組成物。
【請求項１４】  酸化亜鉛および二酸化チタンから選ばれた少なくとも１つの粒状遮光剤をさらに含有してなる、遮光剤としての使用のための請求項１記載のエマルジョン組成物。
【請求項１５】  粒状遮光剤が、組成物の0.5〜50重量％の量で存在してなる、請求項１４記載のエマルジョン組成物。
【請求項１６】  0.005〜2重量％の量のポリ（2-プロペナール、2-プロペン酸）を含有してなる請求項１５記載のエマルジョン組成物。
【請求項１７】  組成物の少なくとも0.5重量％の量でポリ（2-プロペナール、2-プロペン酸）を含有してなる、皮膚防腐剤としての使用のための請求項１記載のエマルジョン組成物。
【請求項１８】  ポリ（2-プロペナール、2-プロペン酸）が、組成物の0.5〜5重量％の量で存在してなる、請求項１７記載のエマルジョン組成物。
【請求項１９】  ポリ（2-プロペナール、2-プロペン酸）を水溶液中に溶解し、水相とポリマー油状相とをポリマー乳化剤の存在下で混合して請求項１記載のエマルジョン組成物を提供する工程を含む、エマルジョン組成物の調製プロセス。
【手続補正書】
【提出日】平成20年9月2日(2008.9.2)
【手続補正１】
【補正対象書類名】明細書
【補正対象項目名】特許請求の範囲
【補正方法】変更
【補正の内容】
【特許請求の範囲】
【請求項１】  粒子状医薬、フルオロカーボンもしくは水素含有クロロフルオロカーボン推進剤、またはそれの混合物、および式（I）の化合物
【化１】
2004509159.tif 000001
またはそれの塩もしくは溶媒和物を含む医薬エアロゾル製剤、ここで：
n は1〜6の整数であり；
N は1〜15の整数であり；
R 1は-(CO)xC1-9アルキルまたは-(CO)xC1-9フルオロアルキルであり、このフルオロアルキル部分構造は少なくとも1個のフッ素原子および3個以下の連続したペルフルオロカーボン原子を含み、式中x は0または1である；ならびに
R2 およびR3 は独立してC1-3アルキルまたは水素である。
【請求項２】  R1 が-(CO)xC1-5アルキルまたは-(CO)xC1-5フルオロアルキルであり、このフルオロアルキル部分構造が少なくとも1個のフッ素原子および3個以下の連続したペルフルオロカーボン原子を含む、請求項１に記載の医薬エアロゾル製剤。
【請求項３】  R1 が最大3個までのフッ素原子で置換されていてもよいC1-3アルキルである、請求項２に記載の医薬エアロゾル製剤。
【請求項４】  R1 が-C0-6アルキレンC1-3フルオロアルキルである、請求項２に記載の医薬エアロゾル製剤。
【請求項５】  R1 が-(CH2)3CF2CF3、-CH2CF2CF3、-CH2CF3、-CF2CF3またはCH3である、請求項２に記載の医薬エアロゾル製剤。
【請求項６】  R2 およびR3 が水素である、請求項１〜５のいずれか１項に記載の医薬エアロゾル製剤。
【請求項７】  x が0である、請求項１〜６のいずれか１項に記載の医薬エアロゾル製剤。
【請求項８】  n が1〜4の整数である、請求項１〜７のいずれか１項に記載の医薬エアロゾル製剤。
【請求項９】  N が1〜8の整数である、請求項１〜８のいずれか１項に記載の医薬エアロゾル製剤。
【請求項１０】  式（I）の化合物が、
2,5,8,11-テトラオキサトリデカン-13-酸；
2,5,8,11,14,17,20-ヘプタオキサドコサン-22-酸；
2,5,8,11-テトラオキサヘキサデカン-16-酸；
2,5,8,11,14,17,20-ヘプタオキサペンタコサン-25-酸；
23,23,23-トリフルオロ-3,6,9,12,15,18,21-ヘプタオキサトリコサン-1-酸；
{[2-({2-[(2,2,2-トリフルオロエチル)オキシ]エチル}オキシ)エチル]オキシ}酢酸；
2,5,8,11,14,17,20,23,26,29-デカオキサヘントリアコンタン-31-酸；
25,25,26,26,26-ペンタフルオロ-3,6,9,12,15,18,21-ヘプタオキサヘキサコサン-1-酸；
(2-{2-[(4,4,5,5,5-ペンタフルオロペンチル)オキシ]エトキシ}エトキシ)酢酸；
{2-[2-(2,2,3,3,3-ペンタフルオロプロポキシ)エトキシ]エトキシ}酢酸；
23,23,24,24,24-ペンタフルオロ-3,6,9,12,15,18,21-ヘプタオキサテトラコサン-1-酸；
32,32,32-トリフルオロ-3,6,9,12,15,18,21,24,27,30-デカオキサドトリアコンタン-1-酸；
あるいはこれらのいずれか１つの塩もしくは溶媒和物である、請求項１に記載の医薬エアロゾル製剤。
【請求項１１】  式（I）の化合物が遊離の酸の形態にある、請求項１〜１０のいずれか１項に記載の医薬エアロゾル製剤。
【請求項１２】  R1 が-C0-6アルキレンC1-3フルオロアルキルであり、このフルオロアルキル部分構造が少なくとも1個のフッ素原子および3個以下の連続したペルフルオロカーボン原子を含む、請求項１に記載の式（I）の化合物。
【請求項１３】  2,5,8,11,14,17,20-ヘプタオキサドコサン-22-酸；
2,5,8,11-テトラオキサヘキサデカン-16-酸；
2,5,8,11,14,17,20-ヘプタオキサペンタコサン-25-酸；
23,23,23-トリフルオロ-3,6,9,12,15,18,21-ヘプタオキサトリコサン-1-酸；
{[2-({2-[(2,2,2-トリフルオロエチル)オキシ]エチル}オキシ)エチル]オキシ}酢酸；
2,5,8,11,14,17,20,23,26,29-デカオキサヘントリアコンタン-31-酸；
25,25,26,26,26-ペンタフルオロ-3,6,9,12,15,18,21-ヘプタオキサヘキサコサン-1-酸；
(2-{2-[(4,4,5,5,5-ペンタフルオロペンチル)オキシ]エトキシ}エトキシ)酢酸；
{2-[2-(2,2,3,3,3-ペンタフルオロプロポキシ)エトキシ]エトキシ}酢酸；
23,23,24,24,24-ペンタフルオロ-3,6,9,12,15,18,21-ヘプタオキサテトラコサン-1-酸；
32,32,32-トリフルオロ-3,6,9,12,15,18,21,24,27,30-デカオキサドトリアコンタン-1-酸；
あるいはこれらのいずれか１つの塩もしくは溶媒和物である、請求項１に記載の式（I）の化合物。
【手続補正書】
【提出日】平成20年6月12日(2008.6.12)
【手続補正１】
【補正対象書類名】明細書
【補正対象項目名】特許請求の範囲
【補正方法】変更
【補正の内容】
【特許請求の範囲】
【請求項１】  メルカプトベンゾチアゾール、メチレンビスチオシアネート、チオシアノメチルチオベンゾチアゾール（ＴＣＭＴＢ）、ベンズイソチアゾリノン（ＢＩＴ）、オクチルイソチアゾリノン（ＯＩＴ）、ジクロロオクチルイソチアゾリノン（ＤＣＯＩＴ）、クロロタロニル、ヨードプロピニルブチルカルバメート（ＩＰＢＣ）、ジ−ヨードメチルｐ−トリルスルホン、Ｎ−シクロヘキシルベンゾ−チオフェン−２−カルボキサミド−５，５−ジオキシドおよびジチオ−２，２’−ビスベンジルメチルアミドのような殺真菌反応作用物質およびフェノール作用物質を含有する混合物。
【請求項２】  動物の皮および革を保護するための、請求項１に記載の混合物の使用。
【請求項３】  動物の皮および革を微生物の攻撃から保護するための方法において、皮および／または革を、請求項１に記載の混合物で処理することを特徴とする、動物の皮および革を微生物の攻撃から保護するための方法。
【請求項４】  請求項１に記載の混合物、ならびに動物の皮および革を保護する薬剤のための常用の成分を含有する、殺微生物作用を有する薬剤。
【手続補正書】
【提出日】平成20年9月17日(2008.9.17)
【手続補正１】
【補正対象書類名】明細書
【補正対象項目名】特許請求の範囲
【補正方法】変更
【補正の内容】
【特許請求の範囲】
【請求項１】  電動空気呼吸補助具の流量調整方法であって、該補助具は、吸い込み側に位置しているフィルタ（５）を有し、ブラシレス直流モータ（２）によって駆動されるファン（３）を備え、
（ａ）前記モータ内で生成され、該モータの回転を示すパルス信号（ｐ）から該モータの実際の回転速度を直接測定するステップ、
（ｂ）前記モータの電力消費量によって決まる電流信号を生成するステップ、
（ｃ）前記モータの実際の回転速度と前記電流信号を、前記モータの実際の回転速度と前記ファンの所望の流量についての電流信号間の相関関係を示す記憶装置（１４）に記憶された予め設定された値と比較するステップ、
（ｄ）前記モータの実際の回転速度及び前記電流信号と、前記ファンの所望の流量のために求められる対応する予め決められた値との間の偏差を減じるためにモータに供給される電圧の量を変化させるステップ、及び
（ｅ）前記モータの実際の回転速度及び電流信号と、前記予め決められた値との間の偏差がなくなるまで、測定、生成、比較及び変化のステップを繰り返すステップ、
を有する流量調整方法。
【請求項２】  電動空気呼吸補助具の流量制御装置であって、
（ａ）ブラシレス直流モータ（２）によって駆動され、吸い込み側に位置しているフィルタ（５）を有するファン（３）、
（ｂ）前記モータの電力消費を求めるために該モータに直列接続された抵抗（２６）を有する第１のセンサ、
（ｃ）前記モータ（２）の回転を示すパルス信号（ｐ）を生成することによって該モータの実際の速度を求めるために該モータに配置された第２のセンサ（３０）、
（ｄ）前記モータの電力消費を電流信号に変換し、前記モータの実際の回転速度と前記ファン（３）の所望の流量についての電流信号との間の相関関係を示す予め設定された値を記憶する記憶装置（１４）を有する制御ユニットであって、前記モータの実際の回転速度と前記電流信号を前記対応する予め設定された値と比較し、偏差が生じたときは、前記モータの実際の回転速度及び前記電流信号と、前記対応する予め設定された値間の偏差がなくなるまで、前記モータに供給される電圧の量を変化させる制御ユニット（１２）、
を備えた電動空気呼吸補助具の流量制御装置。
【請求項３】  前記制御ユニット（１２）は、前記ファン（３）からの流量が予め決められた最低レベルより下に下がった場合を示す警告手段（４０、４２）を制御する、請求項１又は２に記載の方法又は装置。
【手続補正書】
【提出日】平成20年9月17日(2008.9.17)
【手続補正１】
【補正対象書類名】明細書
【補正対象項目名】特許請求の範囲
【補正方法】変更
【補正の内容】
【特許請求の範囲】
【請求項１】  アクリルポリマーおよび治療薬剤を含む接着剤組成物であって、
該アクリルポリマーがアクリル酸アルキル・モノマー、メタクリル酸アルキル・モノマー、重合性非環式窒素含有モノマーおよびそれらの混合物からなる群より選択されるモノマーから製造されるポリマーであり、
該アクリル酸アルキル・モノマーおよびメタクリル酸アルキル・モノマーが、アルキル基中に１８個までの炭素原子を有し、
該重合性非環式窒素含有モノマーが、Ｎ−置換アクリルアミド・モノマー、Ｎ−置換メタクリルアミド・モノマー、ビニルアセトアミド、ニトリル、またはそれらの混合物からなる群から選択され、
該アクリルポリマーが
（i）  該ポリマーの全モノマーの乾燥質量ベースで、５０〜９８％の該アクリル酸アルキル・モノマーおよび／またはメタクリル酸アルキル・モノマーおよび２〜５０％の該重合性非環式窒素含有モノマーを含み、
（ii）  反応性水素部分を含有する官能基を含まず、
（iii）  重合後の化学架橋剤を含有しない、
接着剤組成物。
【請求項２】  前記ニトリルがメタクリロニトリルまたは２−シアノエチルアクリレートである、請求項1に記載の接着剤組成物。
【請求項３】  １０℃未満のＴｇを有する、請求項１に記載の接着剤組成物。
【請求項４】  前記アクリル酸アルキル・モノマーが、アクリル酸２−エチルヘキシルおよび／またはアクリル酸ｎ−ブチルである、請求項1に記載の接着剤組成物。
【請求項５】  前記窒素含有モノマーが、Ｎ−置換アクリルアミド・モノマーおよび／またはＮ−置換メタクリルアミド・モノマーである、請求項1に記載の接着剤組成物。
【請求項６】  前記窒素含有アクリルアミドがｔ−オクチルアクリルアミドである、請求項５に記載の接着剤組成物。
【請求項７】  前記治療薬剤が薬理活性剤である、請求項1に記載の接着剤組成物。
【請求項８】  前記薬理活性剤がフェンタニルである、請求項７に記載の接着剤組成物。
【請求項９】  前記アクリルポリマーがアクリル酸メチルおよびＮ−置換アクリルアミド・モノマーからから製造されるものである、請求項１に記載の接着剤組成物。
【請求項１０】  前記Ｎ−置換アクリルアミド・モノマーがｔ−オクチルアクリルアミドである、請求項９に記載の接着剤組成物。
【請求項１１】  請求項１〜１０のいずれか１項に記載の接着剤組成物を含む、経皮薬物送達システム。
【請求項１２】  前記接着剤組成物が治療薬剤に対する担体として役立つ、請求項１１に記載の経皮薬物送達システム。
【請求項１３】  接着層、および裏当て層を含む、請求項１１または１２に記載の経皮薬物送達システム。
【請求項１４】  さらに放出層を含む、請求項１３に記載の経皮薬物送達システム。
【請求項１５】  前記アクリルポリマーがアクリル酸２−エチルヘキシル、アクリル酸メチルおよびｔ−オクチルアクリルアミドから製造されるものである、請求項１１〜１４のいずれか１項に記載の経皮薬物送達システム。
【請求項１６】  接着剤および治療薬剤を含む経皮薬物送達システムであって、
該接着剤が、アクリル酸アルキル・モノマー、メタクリル酸アルキル・モノマー、重合性非環式窒素含有モノマーおよびそれらの混合物からなる群より選択されるモノマーから製造されるアクリルポリマーを含み、
該アクリル酸アルキル・モノマーおよびメタクリル酸アルキル・モノマーが、アルキル基中に１８個までの炭素原子を有し、
該重合性非環式窒素含有モノマーが、Ｎ−置換アクリルアミド・モノマー、Ｎ−置換メタクリルアミド・モノマー、ビニルアセトアミド、ニトリル、またはそれらの混合物からなる群から選択され、
該アクリルポリマーが
（i） 該ポリマーの全モノマーの乾燥質量ベースで、５０〜９８％の該アクリル酸アルキル・モノマーおよび／またはメタクリル酸アルキル・モノマーおよび２〜５０％の該重合性非環式窒素含有モノマーを含み、
（ii） 反応性水素部分を含有する官能基を含まず、
（iii） 重合後の化学架橋剤を含有しない、
経皮薬物送達システム。
【手続補正書】
【提出日】平成20年1月24日(2008.1.24)
【手続補正１】
【補正対象書類名】明細書
【補正対象項目名】特許請求の範囲
【補正方法】変更
【補正の内容】
【特許請求の範囲】
【請求項１】  高温で架橋可能なポリオレフィン重合体と、
前記ポリオレフィン重合体１００部あたり共接着剤６０部以下の量で、前記ポリオレフィンポリマーと混合された共接着剤と
を含有する金属接着用電気絶縁組成物であって、
１４０℃〜１９０℃の高温に予熱された金属と接触して接着して、前記電気絶縁組成物と金属との間の重ね剪断接着強さ３．３ＭＰａ〜１２ＭＰａを提供する電気絶縁組成物。
【請求項２】  前記ポリオレフィン重合体１００部あたり、２．５部〜１０部のマレイン酸処理ポリエチレンワックスをさらに含む請求項１に記載の電気絶縁組成物。
【請求項３】  前記ポリオレフィン重合体１００部あたり、２０部〜４０部の難燃剤をさらに含む請求項２に記載の電気絶縁組成物。
【請求項４】  前記共接着剤がエポキシ樹脂である請求項１に記載の電気絶縁組成物。
【請求項５】  請求項１、２、３および４のいずれか１項に記載の絶縁組成物を含む電気絶縁シート。
【請求項６】  金属基材を１４０℃〜１９０℃の高温に加熱して加熱金属基材を提供する工程と、
請求項１に記載の電気絶縁組成物からなる少なくとも１枚のシートを前記加熱金属基材に当接し、絶縁保護金属基材を提供する工程と、
前記絶縁保護金属基材を熱的に状態調整して、前記電気絶縁組成物と前記金属基材との間の重ね剪断接着強さ３．３ＭＰａ〜１２ＭＰａを提供するように、前記少なくとも１枚のシートを前記加熱金属基材に接着させる工程を有する金属基材の絶縁方法。
【請求項７】  前記少なくとも１枚のシートを当接させる工程が、それらの間に継ぎ目を有する少なくとも第１および第２のシートを当接させることを含む請求項６に記載の金属基材の絶縁方法。
【請求項８】  前記少なくとも１枚のシートを前記加熱金属基材の少なくとも一部の輪郭に合致させるために、圧力を加える工程をさらに含む請求項６に記載の金属基材の絶縁方法。
【請求項９】  前記金属基材がブスバーの形態を有する請求項６に記載の金属基材の絶縁方法。
【手続補正書】
【提出日】平成20年8月4日(2008.8.4)
【手続補正１】
【補正対象書類名】明細書
【補正対象項目名】特許請求の範囲
【補正方法】変更
【補正の内容】
【特許請求の範囲】
【請求項１】  錫３０〜６５重量％、亜鉛３０〜６５重量％、ならびにコバルト０．１〜１５重量％を含む三成分錫亜鉛コバルト合金を含む合金被膜をガルバーニ法で生成するために、溶解した形態で合金成分、および必要に応じ、さらなる一般的な添加剤および補助剤を含む、アルカリ性または中性のガルバーニ電解質溶液。
【請求項２】  前記三成分錫亜鉛コバルト合金が、錫４０〜５５重量％、亜鉛４５〜５５重量％、およびコバルト１〜５重量％を含む、請求項１に記載の電解質溶液。
【請求項３】  以下の組成：
１０〜４０ｇ／ｌの錫（硫酸塩、錫酸ナトリウムまたは錫酸カリウムとして）
０．５〜１０ｇ／ｌの亜鉛（硫酸塩、塩化物、水酸化物または酸化物として）
０．１〜１０ｇ／ｌのコバルト（硫酸塩、塩化物、水酸化物または酸化物として）
５０〜２００ｇ／ｌのテトラナトリウムピロリン酸塩
１〜２０ｇ／ｌの水酸化カリウムまたは水酸化ナトリウム
１０〜２００ｇ／ｌの錯化剤
０．１〜１０ｇ／ｌの湿潤剤
０．１〜５ｇ／ｌの光沢剤
を有する、中性電解質溶液。
【請求項４】  以下の組成：
１０〜５０ｇ／ｌの錫（硫酸塩、塩化物、錫酸ナトリウムまたは錫酸カリウムとして）
１〜１０ｇ／ｌの亜鉛（硫酸塩、塩化物、水酸化物または酸化物として）
０．１〜１０ｇ／ｌのコバルト（硫酸塩として）
１〜２０ｇ／ｌの水酸化カリウムまたは水酸化ナトリウム
１０〜２００ｇ／ｌの錯化剤
０．１〜１０ｇ／ｌの湿潤剤
０．１〜５ｇ／ｌの光沢剤
を有する、アルカリ性性電解質溶液。
【請求項５】  前記錯化剤が、有機酸およびその塩類、リン酸、ホスホネート、グルコナート、グルコヘプトン酸、グルコへプトネートまたはエチレンジアミン四酢酸である、請求項３または４に記載の電解質溶液。
【請求項６】  錫３０〜６５重量％、亜鉛３０〜６５重量％、ならびにコバルト０．１〜１５重量％を含む三成分錫亜鉛コバルト合金の合金被膜を製作する方法であって、溶解した形態で合金成分、および必要に応じ、さらなる添加剤を含む、アルカリ性、中性または弱酸性のガルバーニ電解質溶液から該被膜を電着することを特徴とする、方法。
【請求項７】  電解により生成された、錫３０〜６５重量％、亜鉛３０〜６５重量％、ならびにコバルト０．１〜１５重量％を含む三成分錫亜鉛コバルト合金の合金被膜の、防食被膜としての、使用。
【請求項８】  電解により生成され、次に不動態化を行った、錫３０〜６５重量％、亜鉛３０〜６５重量％、ならびにコバルト０．１〜１５重量％を含む三成分錫亜鉛コバルト合金の合金被膜の、鉄材料の表面を覆う防食被膜としての、使用。
【請求項９】  電解により生成された、錫３０〜６５重量％、亜鉛３０〜６５重量％、ならびにコバルト０．１〜１５重量％を含む三成分錫亜鉛コバルト合金の合金被膜の、はんだ付け可能な被膜としての、使用。
【請求項１０】  電解により生成された、錫３０〜６５重量％、亜鉛３０〜６５重量％、ならびにコバルト０．１〜１５重量％を含む三成分錫亜鉛コバルト合金の合金被膜の、装飾用最終被膜としての、使用。
【手続補正書】
【提出日】平成20年9月5日(2008.9.5)
【手続補正１】
【補正対象書類名】明細書
【補正対象項目名】請求項１２
【補正方法】変更
【補正の内容】
【請求項１２】  バインダーが、シリカゾルに基づいてＡｌ２Ｏ３の重量％として計算して０．０５〜２．０重量％のアルミナ、および任意的なシリケート粒子を組成物中に含むアルミナ修飾されたシリカゾルであることを特徴とする、請求項１１記載のプライマーコーティング組成物。
【手続補正２】
【補正対象書類名】明細書
【補正対象項目名】請求項１３
【補正方法】変更
【補正の内容】
【請求項１３】  シリカまたはシリケート粒子が２２ｎｍ以下の平均粒径を有することを特徴とする、請求項１１または１２記載のプライマーコーティング組成物。